(57)【要約】      （修正有）【課題】宇宙船で生活する宇宙飛行士や酷寒の南極で観測する隊員、砂漠で研究する人々が咄嗟に水が無くても磨ける歯ブラシ、健康な人は無論のこと半健康的な人にとっても、健康のため食事を楽しむため、提供する歯ブラシによる新たな歯磨き習慣は誠に容易であり、日に日にその成果を体感できる歯医者知らずの歯ブラシを提供すること。また省資源に貢献するシンプルな歯ブラシを提供すること。  【解決手段】提供する画期的歯ブラシは、独立した植毛台と独立した柄で構成される。１列３束しか植毛していない植毛台を連結植毛台のリードを切断して切り放し、専用の接続装置を設けた柄に嵌めて接続装置してシンプルな歯ブラシは成る。  毛先は使用者が好みの形に毛を、鋏みでカットして整える事ができるなど、使い易さとオリジナリティーを満たした歯ブラシの提供をする。恒久的に使える柄においても装飾が自在に行えたりできる物も提供できる。【選択図】  図３
2006212374.tif 000002
【特許請求の範囲】
【請求項１】
歯ブラシ用の毛を植毛する弾性在る粒状台で、平面には、縦に長い歯ブラシの柄に対し横１列に並ぶ植毛穴（１）と、他の粒状台を繋ぐリード（２）、粒状台の側面に固定凹部（３）、を設け、粒状台を次々連結するが、植毛しブラシとして使用するときは容易に切断できるリード（２）を介し独立する粒状台が繋がれた形状の連結台（４）を、プラスチック成型して作る。
植毛機で前記連結台（４）に連なる粒状台の植毛穴（１）に歯ブラシ毛を植毛加工、整毛加工をしてリード（２）で繋がれた粒状の独立する植毛台（５）が連結する連結植毛台（６）を作る。
【請求項２】
歯ブラシを構成する柄の先端植毛部への直接植毛でなく、柄の先端に植毛した上記植毛台（５）を嵌めて装置する容器（７）を設ける。
該容器の内側面に固定凸部（８）、底面に孔（９）を設け、容器の挿入口辺には、平らなマチ（１０）を設ける。植毛台を装置して柄とＴ字型の形状になるように柄を容器の辺から取っ手として伸ばし歯ブラシに成る。
容器の底にある孔（９）から装置した植毛台を押し出して植毛台の取り出しができる。柄と合致する植毛台を次々と交換、装着できる歯ブラシの接続柄（１１）を作る。
【請求項３】
上記連結植毛台（６）のリード（２）を切り放し独立した１個の植毛台（５）を、上記接続柄（１１）に嵌めこんで、植毛台（５）に在る固定凹部（３）を接続柄（１１）の側面にある固定凸部（８）に合わせ、切り放したリード（２）の切り端を接続柄（１１）のマチ（１０）に重ねると、植毛台（５）が接続柄（１１）内に安定する歯ブラシが成る。
植毛台（５）を抜き取るときは柄の容器底面に在る孔（９）を介して、植毛台を逆に押し返すことで植毛台（５）を取り出せる、カートリッジ式歯ブラシと装置並びに該歯ブラシを構成する歯ブラシの植毛部と柄の製法。
【発明の詳細な説明】
【技術分野】
【０００１】  本発明は、歯磨きを簡便に行う歯ブラシ装置とその歯ブラシの製法に関する。
【背景技術】
【０００２】  良い歯ブラシの条件は、取り扱いが簡便で、使用者が日常生活環境の中で、歯疾患の予防、健康な歯を維持する為に行う歯磨き動作が歯を汚した後、咄嗟に行える歯ブラシであるべきである。
しかし、永年にわたり従来の歯ブラシ等は歯科衛生に不可欠な生活必需品でありながら、優れた改良がなされず進歩性に乏しい物ばかりが氾濫している。
歯を磨きたい時に咄嗟に磨ける品が無い。歯磨き動作には歯磨き剤や濯ぎ水を必要とするとの前提にとらわれている。
従来は植毛数がやたら多く、雑菌が密集繁殖し易い不衛生な物がほとんどであるから、何時も身に付けて持ち歩けない。しかも、高価な歯ブラシであっても毛が曲がると直ちに消却してしまう資源の無駄使いを余儀なくされた。従来品は靴磨きには適していても咄嗟に使う歯ブラシには不向きな構成に成っている。
そのような歯ブラシで歯を磨いている歯磨き習慣は健康な歯を蝕む原因であることは明らかであり、歯磨き習慣の悪さから歯磨き回数が増えない！故に歯科衛生状態の悪さが永年改善されない！誠に深刻な問題である。【０００３】  日に３回以上従来歯ブラシを用いた歯磨きをする事は（歯磨き剤や水にコップ洗面設備等を必要とするから）到底出来難く、現代の生活住環境において従来の歯ブラシを使い従来の歯磨き習慣を継続させようとすることは、誠に愚かな事である。１日１〜２回しか歯ブラシを使えない歯ブラシとその歯磨き習慣は即刻改めるべきである。
現代人は物を食し歯を汚し放置する時間が長すぎる！食後早目に歯を磨き、歯を清潔にする習慣が育たないと健康な歯を維持することが出来ない。【０００４】  従来の歯磨き習慣では、１度使用した歯ブラシを滅菌する事なしに再々使用している場合が殆んどであり、衛生的によくない。
植毛束が少ない歯ブラシなら使用後に付着した食物残渣などを直ちに発見でき、直ちに払うことが容易にできるが、従来の歯ブラシでは柄の先端に植毛穴を１０個以上羅列してあり多くの植毛束を植毛したブラシであるから、雑菌が留まり易い。使用者達は従来歯ブラシに雑菌が在ろうが無かろうが磨き剤を上に重ね平然と使用する習慣が在る。
従来の歯ブラシメーカー達は目を引くデザインにばかりこだわり、使い易い歯ブラシ、歯科疾患を予防し易い歯ブラシ、消費者が咄嗟に使え使いたくなる歯ブラシの開発研究を怠りし、誇大なＴＶ広告で国民を欺き、真に国民の歯科衛生状態を好転させる歯ブラシの提供を怠った。
宇宙船で生活する宇宙飛行士や酷寒の南極で観測をする隊員、砂漠で研究する人々でなくても、歯磨は万国共通の民が、健康のため食事を楽しむ為に歯を磨いているのですが、従来の歯ブラシは水を使わなければ使えない問題があるから、皆さんの歯は病み易い習慣から脱出できていません。
【発明の開示】
【発明が解決しようとする課題】
【０００５】  宇宙船で生活する宇宙飛行士や酷寒の南極で観測をする隊員、砂漠で研究する人々が咄嗟に水が無くても磨ける歯ブラシ、健康な人は無論のこと半健康的な人にとっても、健康のため食事を楽しむため、提供する歯ブラシによる新たな歯磨き習慣は誠に容易であり、日に日にその成果を体感できる！歯医者知らずの歯ブラシを提供し、歯疾患の予防に著しく貢献する。
シンプルな本発明の歯ブラシは従来に比べ著しく省資源に貢献する。
従来の歯ブラシでは果たし得なかった使い易い歯ブラシ、歯科疾患を予防し易い歯ブラシ、何処にいても咄嗟に使える歯ブラシ、自然に使いたくなる歯ブラシを提供し、問題を解決し、慢性的に悪しき国民の歯科衛生状態にある問題を好転させる。
（課題を解決する歯ブラシは）プラスチック成型した小さな植毛台数個をリードで繋いだ連結植毛台を、歯ブラシ植毛機でピッチを合わせて植毛し、続いて別の毛先カット機でカットすれば、連結したカートリジ用の植毛台が得られる。植毛台を装着したり開放できる専用の柄を作り、使用者が自ら植毛台を装着したり開放して歯磨きに使用できる歯ブラシである。
容易に交換できる連結植毛台の製法を示し、シンプルな植毛部交換式歯ブラシを提供することにより、従来よりもはるかに経済性や衛生面で優れ、使用者の歯科衛生状態が著しく好転する歯ブラシである。
植毛量を極力少なくしてあるから、歯を磨いた時に付着する食物残渣を除き易く雑菌が留まり難く洗浄が容易な歯ブラシである。
清潔な植毛台を咄嗟に取替えて使える歯ブラシであり、植毛部の清掃が容易に行えるし、歯ブラシの毛先が傷んだ場合には鋏みで傷んだ部位をカットして整毛が行える。
歯ブラシを構成する１本の柄と数個の植毛台を、何時も所持していれば、何時でも何処ででも歯を磨ける、歯を汚したら磨く習慣を身につけば健康な歯を何時までも保てます。
水や磨き剤を一切使用する事なしに使う歯ブラシであるから、食事をする場所が宇宙船の中や砂漠や極北やジャングルなど極限状態に在っても容易に使える。
従来の歯ブラシは飾り物にするには勿体無いから、従来を使いたい人は使うのも良いが、従来の歯磨き習慣を改め易い歯ブラシである。
【課題を解決する為の手段】
【０００６】  プラスチック成型した小さな植毛台数個をリードで繋いだ連結植毛台を自動歯ブラシ植毛機で植毛、続いて別の毛先カット機でカットすれば、数個連なる植毛台が得られ、植毛台１個をリードの切断により確保し、専用に誂えた柄に在る容器状の先端植毛部の挿入口に植毛台の毛を上に底面を下にし、押し込むように挿入すると植毛台の凹部と容器状の内側に在る凸部が嵌まり、植毛台に在るリード切断辺は容器の挿入口辺のマチに乗せて植毛台は安定する。
挿入された植毛台を抜き取る時は、容器の底の孔から植毛台の底を逆に押し返し毛先を持って抜き取る。
常時、植毛台に合致する歯ブラシの柄の容器状先端植毛部に、横１列．横２列あるいは横３列の植毛台１個を挿入した状態であるのも良いが、使用する度に植毛台を選んで挿入するのも良い。
横１列．横２列あるいは横３列に植毛した整毛の形状であるが、始の製造工程で山形に整毛するのも良いし、歯ブラシとして使用する者が自らの好みに合わせ、使用する段階で整毛カットするのも良い。
【０００７】  粒状台を連結した連結台に植毛や整毛カットする際、リードで繋ぐだけでは自動植毛機や整毛機において連結台が安定を欠くなど、機械の調整だけでは不具合を生じる場合は、連結台１個１個の台平面植毛部以外、台の下半身を其々連続して収める一体型の台受け連続枡を作り、該連続枡で台の下を収容し固定して植毛、整毛するのが良い。該連続枡を植毛機に取り付け、その中に連結台いれて植毛するのも良いが、予め連続枡に連結台を挿入して植毛機において植毛するのも良い。
【０００８】  従来から在る問題を解決する為には、歯を汚した後できるだけ早く、場所や時間に拘束されず、歯を磨ける歯ブラシ、植毛台に合う柄を用意し、清潔で毛先の形状も好みの形にして使いたい歯ブラシをオリジナルにするのも良い。
人は平均１日の内に、三度の食事以外にお茶やお菓子で２回ほど歯を汚すから、歯ブラシは１日五回以上容易に行える歯ブラシが良い。
従来の歯ブラは植毛されている量が多くて困難であるが、本発明は植毛量が少ない毛先を山形に整毛して歯間を磨き易くしたブラシであり、好みにより少量の毛先をフラットにして歯茎のマッサージに効果がある歯ブラシなどにも使えるから良い。
ブラシの毛先が消耗したら自分で鋏みを使って整毛もできるから良い。
山形に整毛裁断してないで毛先がフラットな１列３束ブラシや２列６束ブラシ３列９束ブラシなど植毛魂の毛先を自分で諸々の形に整毛できるから良い。
使うと日に日に歯が丈夫に美しくなっている事が実感できる歯ブラシであるから手放せなくなるから、柄に紐を繋いで首から下げるのも良いし、つなぎの柄を足して長い柄の歯ブラシにするのも良いし、柄の長さは大小そろえて作るのも良いし、衛生的な専用のブラシケースを作るのも良い。
台とブラシ毛が１度のプラスチックインジェクションで成型されて出来るブラシ等、台に植毛し整毛の過程を経過しないでも、形状が台付の植毛台や連結植毛台と同様の物で同じく歯ブラシとして使用する装置があれば、本発明の植毛台と同じ歯ブラシ装置である。
横１列、横２列、横３列の各列の植毛束であるが、各列共３束配列でなくても良い２束でも４束でも良いし、プラスチックの間に毛を挟み蒸着した方法など、ブラシ毛が柄の先端から９０度に近い角度で安定するならば、植毛の方法や形も色々在って良い。
繋ぐリードがない独立した粒状台を作り植毛し整毛した植毛台を作り、専用の柄先端植毛部とジョイントして成る歯ブラシを作り提供するのも良い。
植毛台やジョイントする柄の材質は、木竹や金属あるいは諸々の素材と組み合わせた物にするのも良い。デザインにおいても適した形状を選択して製造提供するのが良い。
【発明の効果】
【０００９】  食事や間食で歯を汚した後、歯を磨きたいと思った時、歯磨き剤や水を使わないで咄嗟に歯を磨く事ができるから、健康な歯を維持することが出来て五体の健康も良くなる。
従来の歯磨き習慣に要した一連の動作、歯磨き剤を使い、すすぎ水を使う等、洗面所における歯磨きをしなくて済む。
本発明の歯ブラシは従来の歯ブラシにある概念や、今日の悠長な歯磨き習慣とは対称に在るようであるが、従来を総て否定しないで、時にはゆっくりと従来の習慣に習った歯磨きを実行するのも悪くはない。
シンプルな本発明の歯ブラシ行うブラッシングはポイントを押さえた歯磨きが行えるから、動作に無駄がない。
耳を掃除する耳掻きのように携行し易すく、扱い易いから、歯を磨きたい時に磨けるから口中がいつも爽快で居れる。車を運転しながら新聞を読みながらＴＶを観ながら容易に扱えるから良い。
どんな献立の料理を出されても、歯間に詰まって困る心配をしなくてよいから食事の時間が苦にならない。
味見をする際には歯茎を軽くブラッシングすると、確かな食感が得られるし、グルメな会食パーティーの席においても美味しく食感を満喫できるから素晴らしい。
何時でも何処でも、そこが砂漠の真只中や宇宙船の中など極限の環境においても、堂々と歯磨きが行える。
本発明の歯ブラシの製法は簡単であり、大量生産にも適しているから、安価に提供する事ができて、水や歯磨き剤を使わない省資源、歯ブラシを作る素材も少量であり、この歯ブラシによる歯磨き習慣（朝昼夕の食事や間食の後のブラッシング）を実行して頂いたら著しく健康な歯に成ります。
【発明を実施するための最良の形態】
【００１０】  ポリプロピレンを成型した植毛する連結台を自動植毛機でナイロン毛を植毛し、毛を整えるカット機で整毛すると、植毛を終わった数個の植毛台が連結された連結植毛台ができる。連結植毛台のリードを切断し、連結を解除した１個の植毛台を、ポリプロピレンを成型した柄の先端植毛部に少し力をいれて挿入ジョイント装置で固定して歯ブラシは成る。
柄の植毛部に収まっている植毛台を抜き取る時は、挿入時とは逆に植毛台の底に在る突起を少し押し上げると、ジョイント装置が開放されるから毛先を持って抜き取る。
【実施例１】
【００１１】  図１に示すのは、歯ブラシを構成する植毛台になる前の連結台である。ポリプロピレンを成型により装着する柄の植毛容器より弾性がある素材で連結台を作り、ナイロン毛を植毛した。
連結した粒状台にある植毛穴に自動植毛し、整毛カットを施した連結植毛台であり、植毛台はリードで繋がれている。リードを切断して専用の柄に装着する植毛台を得る事ができる。
歯ブラシ用自動植毛機に連結粒状台を挿入し、自動運転する事により次々と植毛が行える。さらに、自動整毛機に送り先端を整えると、連結植毛台を得る事ができる。
植毛台を連結した状態、あるいはリードを切断し個々の植毛台にして使う事ができる。
植毛する毛の質や整毛の形状は、種々の物を自在に採用できる。【００１２】  図２に示すのは、該歯ブラシを構成する柄である。装着する植毛台よりも固くて丈夫な素材を使い、植毛台を植毛台にある凹凸に対し当てはまる凸凹を柄の容器内側に設けてある。図に見えないが底面に植毛台を引き出す時に押し出す孔を設けた。素材は硬質のポリプロピレンを用いた。
素材を金属せいにしても良いし、金属とプラスチックスを混合しても良い。【００１３】  図３に示すのは、図１の連結台に植毛、整毛した植毛台を図２の柄に装置する状態を示し、歯ブラシを完成した略斜視図である。
水や歯磨き剤の使用をしないで、該歯ブラシを１年半の間、従来の歯ブラシを全く使用しないで、毎日１日５回以上、水や歯磨き剤を使わないで使用した。
植毛した３束ブラシ１の毛先は長い中央植毛束から短い左右の植毛束になだらかな山形に切り揃えた山形整毛がフラットな整毛よりも、歯間に毛先が入り易くて使いよかった。使用する回数が多くなり、毛先が少しずつ曲がってきたら、鋏みで整毛カットし、ブラシ全体をバランス良く整える事により、再利用が効くし、毛先を極端に短フラットにして歯茎マッサージ用の歯ブラシにすると良い。
歯ブラシ用の毛は種々在るが、ナイロン製の毛が丈夫で長持ちする。
本発明歯ブラシの使い易さは、従来歯ブラシとは比較できない程の簡便さであり、歯の健康には必携の歯ブラシである事を立証できる。
【産業上の利用可能性】
【００１４】  素材の柄はプラスチックの方が量産に適し安価であるが、資源や風合を考慮すると竹や木を使うのも良いし、柄などはチタンなどの金属や色々の素材を合わせデザインにも優れた高級品を用いるのも良い。ブラシの毛もプラスチックが量産に適しているが、獣の毛を使うのも良い。プラスチックなら生産原価は安価であり、物も小さく、変質しにくい物なら流通管理が容易である。
安価で簡便に使えて健康に良い物であるから、宣伝次第では急速に普及するヒット商品になる可能性が高い。
起業する産業として立ち上げてもリスクが少なく成功の可能性は極めて大きい。失敗する材料は非常識な放漫経営でもしない限り考え難い。
レストランや食堂、弁当屋から纏まった需要が期待される。扱い方がシンプルであり説明が要らない。保存と携行に問題が無く安価で健康に欠かせない点を考慮すると、あらゆる世代の人々、健常者から非健常者、入院の寝たきり患者の方々にとっても福音となる。
従来品の盲点を突いた画期的にトレンディーな生活必需品として永い将来にわたり存在する物品であるから、消費者のニーズに合わせデザインを考慮し数種類の品々を揃える必要がある。全国の隅々にまで流通させる事に不安は無い。
【図面の簡単な説明】
【００１５】
【図１】  植毛する前の連結台略斜視図である。（実施例１）
【図２】  植毛台を装置する専用柄先端植毛部容器の略斜視図である。（実施例２）
【図３】  歯ブラシを構成する植毛台を柄の容器に装置する略斜視図である。（実施例３）
【符号の説明】
【００１６】  １  植毛穴
２  リード
３  固定凹部
４  連結台
５  植毛台
６  連結植毛台
７  容器
８  固定凸部
９  孔
１０  マチ
１１  接続柄
【図１】
2006212374.tif 000003
【図２】
2006212374.tif 000004
【図３】
2006212374.tif 000005